(57)【要約】【課題】  芯線の研磨作業における操作性を向上させることができ、さらに、芯線を防護することもできる電線用の防護機能付き研磨具を提供することを課題とする。【解決手段】  絶縁性を有するシート部２であって、第一方向で第一端と該第一端部とは反対側の第二端部とを有するシート部２と、該シート部２に取り付けられる研磨部３と、前記シート部２に取り付けられる一対の把持部４Ａ，４Ｂであって、前記第一方向で前記研磨部３の両側に位置する一対の把持部４Ａ，４Ｂと、前記シート部２の第一端部側と第二端部側とを取外可能に連結する連結部５とを備え、前記一対の把持部４Ａ，４Ｂのそれぞれは、少なくとも一部が前記第一方向で前記研磨部３と並ぶように配置されることを特徴とする。【選択図】図５
2015042089.tif 000002
【特許請求の範囲】
【請求項１】
絶縁性を有するシート部であって、第一方向で第一端と該第一端部とは反対側の第二端部とを有するシート部と、該シート部に取り付けられる研磨部と、前記シート部に取り付けられる一対の把持部であって、前記第一方向で前記研磨部の両側に位置する一対の把持部と、前記シート部の第一端部側と第二端部側とを取外可能に連結する連結部とを備え、前記一対の把持部のそれぞれは、少なくとも一部が前記第一方向で前記研磨部と並ぶように配置されることを特徴とする電線用の防護機能付き研磨具。
【請求項２】
前記連結部は、雌雄一対の面ファスナーを備え、雌雄一対の面ファスナーのうちの一方の面ファスナーは、前記シート部の第一端部又は前記シート部の第二端部の何れか一方に沿って取り付けられ、雌雄一対の面ファスナーのうちの他方の面ファスナーは、前記シート部の第一端部又は前記シート部の第二端部の何れか他方に沿って取り付けられる請求項１に記載の電線用の防護機能付き研磨具。
【請求項３】
前記一方の把持部は、前記シート部の一方の端部の一部に取り付けられ、前記他方の把持部は、前記シート部の他方の端部の一部に取り付けられる請求項１又は請求項２に記載の電線用の防護機能付き研磨具。
【請求項４】
前記一対の把持部のそれぞれは、シート部の研磨部が取り付けられている面側に延出する請求項１乃至３の何れか一項に記載の電線用の防護機能付き研磨具。
【発明の詳細な説明】
【技術分野】
【０００１】
本発明は、電線の被覆部を剥ぎ取って露出させた芯線の研磨及び防護をする電線用の防護機能付き研磨具に関する。
【背景技術】
【０００２】
従来から、通電状態の電線に分岐線（例えば、開閉器や、変圧器等の電気設備から延びる引下線）を接続する工事が行われている。
【０００３】
一般的に、電線は、導電性を有する芯線と、該芯線を被覆する被覆部とを備えている。そのため、電線に分岐線を接続する場合、電線の被覆部を部分的に剥ぎ取り、露出した芯線に分岐線が接続される。このようにして、電線に分岐線が電気的に接続される。
【０００４】
ところで、露出させた電線の芯線の表面には、酸化皮膜等の不純物が付着していることがある。そのため、露出させた芯線の表面に付着している不純物を除去する電線用の研磨具が提供されている（例えば、特許文献１の図９参照）。
【０００５】
図８に示すように、電線用の研磨具（以下、単に研磨具とする）６は、絶縁操作棒Ｈに取り付ける本体部６０と、該本体部６０に取り付けられる研磨部６１とを備えている。
【０００６】
本体部６０は、電線Ｃの芯線Ｃａを配置可能な空間（以下、配置空間とする）が形成されている。より具体的に説明すると、本体部６０は、互いに相反する方向に凸となるように湾曲する一対の湾曲面６００であって、周方向に第一端と該第一端とは反対側の第二端とを有する一対の湾曲面６００と、該一方の湾曲面６００の第一端から該他方の湾曲面６００の第一端に亘って形成されるストレート面６０１とを有する。
【０００７】
研磨部６１は、前記一対の湾曲面６００のそれぞれに沿って取り付けられる湾曲部６１０と、前記ストレート面６０１に沿って取り付けられるストレート部６１１とを有する。
【０００８】
この種の研磨具６によって、電線Ｃの芯線Ｃａ（被覆部Ｃｂを剥ぎ取って露出させた芯線Ｃａ）の表面に付着している不純物を除去するには、まず、一対の湾曲面６００のそれぞれの第二端の間を通じて配置空間内に芯線Ｃａを配置する。
【０００９】
そして、図９Ａに示すように、研磨部６１のストレート部６１１を芯線Ｃａの側面に当接させて研磨具６を鉛直方向で往復動させることで芯線Ｃａの側面に付着している不純物を除去することができる。また、図９Ｂに示すように、研磨部６１の湾曲部６１０を芯線Ｃａの上面や、下面に当接させて研磨具６を水平方向（芯線Ｃａが延びる方向）で往復動させることで芯線Ｃａの上面や、下面に付着している不純物を除去することができる。
【先行技術文献】
【特許文献】
【００１０】
【特許文献１】特開２００８−１２５２９４号公報
【発明の概要】
【発明が解決しようとする課題】
【００１１】
ところで、上述の研磨具６では、定型性を有する本体部６０に研磨部６１が取り付けられている。そのため、研磨具６で電線Ｃの芯線Ｃａを研磨する場合、作業者は、研磨部６１を芯線Ｃａの研磨する部分に対応する姿勢にした状態で、該研磨部６１を鉛直方向や水平方向で往復動させている。そのため、上述の研磨具６は、作業者から離れた場所に位置する研磨部６１の姿勢を保ちつつ往復動させることが困難であった。
【００１２】
さらに、上述の研磨具６は、芯線Ｃａの表面に付着している不純物を除去した後に、芯線Ｃａから取り外されるため、露出した芯線Ｃａを防護する作業が必要となる。かかる作業では、研磨具６とは別の種類の工具が必要となるため、作業者は、工具の持ち替え等をすることになる。従って、上述の研磨具６を用いて芯線Ｃａを研磨する場合、芯線Ｃａを防護する作業も煩雑になることがあった。
【００１３】
そこで、本発明は、かかる実情に鑑み、芯線の研磨作業における操作性を向上させることができ、さらに、芯線を防護することもできる電線用の防護機能付き研磨具を提供することを課題とする。
【課題を解決するための手段】
【００１４】
本発明に係る電線用の防護機能付き研磨具は、絶縁性を有するシート部であって、第一方向で第一端と該第一端部とは反対側の第二端部とを有するシート部と、該シート部に取り付けられる研磨部と、前記シート部に取り付けられる一対の把持部であって、前記第一方向で前記研磨部の両側に位置する一対の把持部と、前記シート部の第一端部側と第二端部側とを取外可能に連結する連結部とを備え、前記一対の把持部のそれぞれは、少なくとも一部が前記第一方向で前記研磨部と並ぶように配置されることを特徴とする。
【００１５】
上記構成の電線用の防護機能付き研磨具によれば、電線の被覆部を剥ぎ取って露出させた芯線を研磨部で研磨することができる。より具体的に説明する。上記構成の電線用の防護機能付き研磨具は、一対の把持部同士の間に電線が位置するようにしてシート部を電線に掛けることができる。そして、研磨部を電線の芯線に当接させたうえで一方の把持部と他方の把持部とを交互に引っ張ることで、研磨部を芯線に擦り付けることができる。
【００１６】
このように、上記構成の電線用の防護機能付き研磨具では、電線の芯線を研磨する際に、シート部と研磨部とが変形するようになっているため、芯線の研磨する部分に研磨部を容易に擦り付けることができる。従って、芯線の表面に付着している不純物を容易に除去することができる。
【００１７】
さらに、上記構成の電線用の防護機能付き研磨具では、連結部でシート部の第一端部側とシート部の第二端部側とを取外可能に連結することができるため、シート部の第一端部側とシート部の第二端部側とを連結して電線に取り付けることができる。従って、上記構成の電線用の防護機能付き研磨具は、芯線をシート部で覆った状態で電線に取り付けることによって、該芯線を防護することもできる。
【００１８】
また、本発明の一態様として、前記連結部は、雌雄一対の面ファスナーを備え、雌雄一対の面ファスナーのうちの一方の面ファスナーは、前記シート部の第一端部又は前記シート部の第二端部の何れか一方に沿って取り付けられ、雌雄一対の面ファスナーのうちの他方の面ファスナーは、前記シート部の第一端部又は前記シート部の第二端部の何れか他方に沿って取り付けられるようにしてもよい。
【００１９】
このようにすれば、シート部の第一端部とシート部の第二端部とを全長に亘って互いに連結することができる。従って、シート部が電線から脱落することを防止できる。
【００２０】
また、本発明の他態様として、前記一方の把持部は、前記シート部の一方の端部の一部に取り付けられ、前記他方の把持部は、前記シート部の他方の端部の一部に取り付けられるようにしてもよい。
【００２１】
このようにすれば、一対の把持部同士の間に電線が位置するようにしてシート部を電線に掛けたうえで一方の把持部と他方の把持部とを交互に引っ張ると、シート部の各端部は、部分的に引っ張られる。従って、シート部における一対の把持部同士の間の部分が撓みやすくなり、研磨部を芯線により確実に擦り付けることができる。
【００２２】
また、本発明の他態様として、前記一対の把持部のそれぞれは、シート部の研磨部が取り付けられている面側に延出するようにしてもよい。
【００２３】
このようにすれば、一方の把持部と他方の把持部とを交互に引っ張る際に、第一方向における研磨部の一方側と第一方向における研磨部の他方側とが互いに接触したり、研磨部が対向するシート部に接触したりすることを防止できる。従って、シート部や、研磨部が破損することを抑えることができる。
【発明の効果】
【００２４】
以上のように、本発明の電線用の防護機能付き研磨具によれば、芯線の研磨作業における操作性を向上させることができ、さらに、芯線を防護することもできるという優れた効果を奏し得る。
【図面の簡単な説明】
【００２５】
【図１】図１は、本発明の一実施形態に係る電線用の防護機能付き研磨具の斜視図である。
【図２】図２は、同実施形態に係る電線用の防護機能付き研磨具の下面図である。
【図３】図３は、同実施形態に係る電線用の防護機能付き研磨具の説明図であって、研磨部で電線の芯線を研磨している状態の説明図である。
【図４】図４は、同実施形態に係る電線用の防護機能付き研磨具の説明図であって、研磨部で電線の芯線を研磨している状態の説明図である。
【図５】図５は、同実施形態に係る電線用の防護機能付き研磨具の説明図であって、連結部でシートの両端部を互いに連結した状態の説明図である。
【図６】図６は、本発明の他の実施形態に係る電線用の防護機能付き研磨具の斜視図である。
【図７】図７は、本発明の別の実施形態に係る電線用の防護機能付き研磨具の斜視図である。
【図８】図８は、従来の電線用の防護機能付き研磨具の斜視図である。
【図９】図９は、従来の電線用の防護機能付き研磨具の説明図であって、図９Ａは、芯線の側面を研磨している状態の説明図であり、図９Ｂは、芯線の上面を研磨している状態の説明図である。
【発明を実施するための形態】
【００２６】
以下、本発明の一実施形態に係る電線用の防護機能付き研磨具（以下、単に研磨具とする）について、添付図面を参照しつつ説明を行う。
【００２７】
図１及び図２に示すように、研磨具１は、絶縁性を有するシート部２であって、第一方向で第一端部と該第一端部とは反対側の第二端部とを有するシート部２と、該シート部２に取り付けられる研磨部３と、シート部２に取り付けられる一対の把持部であって、第一方向で研磨部３の両側に位置する一対の把持部４と、シート部２の第一端部側と第二端部側とを取外可能に連結する連結部５とを備えている。
【００２８】
シート部２は、可撓性を有する。また、図２に示すように、シート部２は、平面視矩形状となるように形成されている。そして、シート部２は、研磨部３が取り付けられる第一面と、該第一面とは反対側の第二面とを有する。
【００２９】
研磨部３は、第一方向で長手をなすように形成されている。そして、研磨部３は、シート部２の第一面上に配置されている。また、研磨部３は、前記第一方向と直交する第二方向において、シート部２の略中央部に配置されている。本実施形態において、研磨部３は、シート部２の第一面から起立するように形成される複数の毛部（採番しない）によって構成されている。すなわち、研磨部３は、ブラシ状になっている。
【００３０】
一対の把持部４のそれぞれは、少なくとも一部が第一方向で研磨部３と並ぶように配置される。なお、一対の把持部４のそれぞれは、シート部２を電線Ｃにかけたときに、該シート部２に張力を作用させることができる程度の重量を有することが好ましい。
【００３１】
一対の把持部４のうちの一方の把持部（以下、「４Ａ」を付して説明する）は、シート部２の第一端部の全長に亘って取り付けられている。また、一方の把持部４Ａは、シート部２の第一端部と略同じ長さとなるように形成されている。
【００３２】
一対の把持部４のうちの他方の把持部（以下、「４Ｂ」を付して説明する）は、シート部２の第二端部の全長に亘って取り付けられている。また、他方の把持部４Ｂは、シート部２の第二端部と略同じ長さとなるように形成されている。
【００３３】
連結部５は、雌雄一対の面ファスナー５０，５１を有する。なお、本実施形態では、一方の面ファスナー５０をループ部５０、他方の面ファスナー５１をフック部５１として説明をする。また、連結部５では、ループ部５０、及びフック部５１がシート部の第一面上に取り付けられている。
【００３４】
ループ部５０は、シート部２の第一端部又はシート部２の第二端部の何れか一方に沿って取り付けられている（本実施形態では、シート部２の第一端部）。そして、ループ部５０は、シート部２の第一端の全長に亘って延びるように形成されている。
【００３５】
そして、フック部５１は、シート部２の第一端部又はシート部２の第二端部の何れか他方に沿って取り付けられている（本実施形態では、シート部２の第二端部）。そして、フック部５１は、シート部２の第一端の全長に亘って延びるように形成されている。
【００３６】
このように、本実施形態に係る研磨具１では、シート部２の第一端にループ部５０が取り付けられ、シート部２の第二端にフック部５１が取り付けられているため、一方の把持部４Ａがループ部５０と隣接し、他方の把持部４Ｂがフック部５１と隣接している。また、研磨具１では、研磨部３がループ部５０からフック部５１に亘って延びるように形成されている（すなわち、研磨部３は、ループ部５０とフック部５１との間に取り付けられている）。
【００３７】
本実施形態に係る研磨具１は、以上の通りである。続いて、本実施形態に係る研磨具１による芯線Ｃａの研磨作業について、添付図面を参照しつつ説明を行う。
【００３８】
本実施形態に係る研磨具１によって、電線Ｃの被覆部Ｃｂを剥ぎ取って露出させた芯線Ｃａを研磨部３で研磨するには、まず、図３に示すように、一対の把持部４Ａ，４Ｂ同士の間に電線Ｃが位置するようにしてシート部２を電線Ｃに掛ける。すなわち、研磨部３の長手方向と電線Ｃの延びる方向とが直交又は略直交するようにしてシート部２を電線Ｃに掛ける。このとき、研磨部３を電線Ｃの芯線Ｃａに当接するように、シート部２を電線Ｃに掛ける。
【００３９】
そして、絶縁ヤットコ等の間接活線工具（図示しない）で一対の把持部４Ａ，４Ｂのそれぞれを把持する。このような状態で、一方の把持部４Ａと他方の把持部４Ｂとを交互に引っ張ることで、研磨部３を芯線Ｃａに擦り付けることができる。このようにして、芯線Ｃａの表面に付着している不純物を除去することができる。
【００４０】
芯線Ｃａの上面側や、側面側を研磨する場合は、図３に示すように、一対の把持部４Ａ，４Ｂを鉛直方向又は略鉛直方向で交互に引っ張ればよい。そして、芯線Ｃａの下面側を研磨する場合は、図４に示すように、一対の把持部４Ａ，４Ｂを水平方向又は略水平方向で交互に引っ張ればよい。
【００４１】
そして、図５に示すように、芯線Ｃａの表面に付着している不純物を除去した後に、連結部５でシート部２の両端部同士を連結すると、研磨具１は、シート部２が芯線Ｃａを覆っている状態で電線Ｃに取り付けることができる。
【００４２】
以上のように、本実施形態に係る研磨具１は、電線Ｃの芯線Ｃａを研磨する際に、シート部２と研磨部３とが芯線Ｃａの形状に合わせて変形するため、芯線Ｃａの研磨する部分に研磨部３を容易に擦り付けることができる。従って、芯線Ｃａの表面に付着している不純物を容易に除去することができる。
【００４３】
そして、研磨具１は、連結部でシート部２の両端部同士を取外可能に連結することができるため、シート部２の両端部同士を連結して電線Ｃに取り付けることができる。従って、研磨具１は、シート部２で芯線Ｃａを覆った状態にして電線Ｃに取り付けることで、該芯線Ｃａを防護することもできる。このように、研磨具１は、作業者が煩雑な作業（例えば、工具の持ち替え等の作業等）をすることなく、芯線Ｃａの研磨と防護とをすることができる。
【００４４】
従って、電線Ｃ用の研磨具１は、芯線Ｃａの研磨作業における操作性を向上させることができ、さらに、芯線Ｃａを防護することもできるという優れた効果を奏し得る。
【００４５】
また、研磨具１では、ループ部５０がシート部２の第一端部の全長に亘って延びるように形成され、フック部５１がシート部２の第二端部の全長に亘って延びるように形成される。そのため、研磨具１は、シート部２の第一端部全体とシート部２の第二端部全体とを連結することができるようになっている。従って、シート部２が電線Ｃから脱落することをより確実に防止できる。
【００４６】
さらに、研磨具１では、一方の把持部４Ａがシート部２の第一端部の全長に亘って取り付けられ、他方の把持部４Ｂがシート部２の第二端部の全長に亘って延びるように取り付けられている。そのため、研磨具１は、シート部２の第一端部全体とシート部２の第二端部全体とを容易に操作することができる。従って、研磨具１は、シート部２の第一端部全体とシート部２の第二端部全体とを容易に連結させることができる。
【００４７】
また、従来の研磨具６では、電線Ｃの芯線Ｃａに対する研磨部６１の姿勢を一定に保ちつつ、該研磨部６１を鉛直方向や、水平方向に往復どうさせる必要があったが、本実施形態に係る研磨具１は、一対の把持部４Ａ，４Ｂを交互に引っ張ることで電線Ｃの芯線Ｃａを研磨することができる。従って、本実施形態に係る研磨具１は、従来の研磨具６に比べて容易に電線Ｃの芯線Ｃａを研磨することができるようになっている。
【００４８】
尚、本発明の研磨具１は、上記の実施形態に限定されるものではなく、本発明の要旨を逸脱しない範囲において種々変更を行うことは勿論である。
【００４９】
上記実施形態では、一つの研磨具１を用いた研磨作業の説明をしたが、これに限定されるものではなく、例えば、複数の研磨具１を用いて研磨作業をすることもできる。より具体的に説明すると、研磨する対象となる芯線Ｃａが複数個所にある場合、該複数の芯線Ｃａのそれぞれを個別の研磨具１で研磨してもよい。このようにする場合、複数の芯線Ｃａのそれぞれを個別の研磨具１で覆って防護することができる。
【００５０】
また、上記実施形態において、特に言及しなかったが、研磨具１は、電線Ｃにシート部２を掛けたときに、他の電線Ｃ等に接触し難く、さらに、風等の影響を受け難いサイズに形成されていることが好ましい。このようにするには、例えば、研磨具１を第一方向における長さが約３０ｃｍ、第二方向における幅が約２０ｃｍとなるようにしてもよい。
【００５１】
また、上記実施形態において、特に言及しなかったが、研磨部３は、ブラシ状になっているもの限定されるものではなく、芯線Ｃａに当接可能であれば、例えば、可撓性を有するシート状のものを採用してもよい。
【００５２】
また、上記実施形態において、特に言及しなかったが、研磨部３は、幅（第二方向における研磨部３の幅）が約５ｃｍとなるように形成されることが好ましい。
【００５３】
上記実施形態において、特に言及しなかったが、一対の把持部４Ａ，４Ｂのそれぞれには、凹みや、穴が形成されていてもよい。このようにすれば、一対の把持部４Ａ，４Ｂのそれぞれに形成した凹みや穴に絶縁ヤットコ等の間接活線工具を嵌め込むことで、一対の把持部４Ａ，４Ｂのそれぞれをより確実に把持することができるようになる。
【００５４】
また、上記実施形態において、特に言及しなかったが、一対の把持部４Ａ，４Ｂのそれぞれは、図６に示すように、シート部２の研磨部３が取り付けられている面側に延出するようにしてもよい。このようにすれば、一方の把持部４Ａと他方の把持部４Ｂとを交互に引っ張る際に、第一方向における研磨部３の一方側と第一方向における研磨部３の他方側とが互いに接触したり、研磨部３が対向するシート部２に接触したりすることを防止できる。従って、シート部２や、研磨部３が破損することを抑えることができる。
【００５５】
また、上記実施形態において、一対の把持部４Ａ，４Ｂのうちの一方の把持部４Ａは、シート部２の第一端部の全長に亘って取り付けられ、一対の把持部４Ａ，４Ｂのうちの他方の把持部４Ｂは、シート部２の第二端部の全長に亘って取り付けられていたが、これに限定されるものではなく、例えば、図７に示すように、一方の把持部４Ａがシート部２の第一端部の一部に取り付けられ、他方の把持部４Ｂがシート部２の第二端部の一部に取り付けられるようにしてもよい。
【００５６】
このようにする場合、一方の把持部４Ａをシート部２の第一端部よりも短くなるように形成し、他方の把持部４Ｂをシート部２の第二端部よりも短くなるように形成してもよい。そのため、研磨具１では、一方の把持部４Ａ全体が第一方向で研磨部３と並ぶように形成され、他方の把持部４Ｂ全体が第一方向で研磨部３と並ぶように形成されていてもよい。
【００５７】
また、上記実施形態において、連結部５は、ループ部５０がシート部２の第一端部の全長に亘って延びるように形成され、フック部５１がシート部２の第二端部の全長に亘って延びるように形成されていたが、これに限定されるものではなく、例えば、複数のループ部５０をシート部２の第一端部に間隔をあけて並べ、複数のフック部５１をシート部２の第二端部に間隔をあけて並べるようにしたり、第一端部の一部のみにループ部５０を取り付け、第二端部の一部のみにフック部５１を取り付けるようにしたりしてもよい。
【００５８】
また、上記実施形態において、研磨部３は、フック部５１からループ部５０に亘って延びるように形成されていたが、これに限定されるものではなく、例えば、シート部２の第一端部から第二端部に亘って延びるように形成されていてもよい。このようにする場合、ループ部５０は、シート部２の第一端部において、研磨部３の両側に配置され、フック部５１は、シート部２の第二端部において、研磨部３の両側に配置される。
【符号の説明】
【００５９】
１…研磨具、２…シート部、３…研磨部、４…把持部、４Ａ，４Ｂ…把持部、５…連結部、５０…ループ部（一方の面ファスナー）、５１…フック部（他方の面ファスナー）、Ｃ…電線、Ｃａ…被覆部、Ｃｂ…芯線
【図１】
2015042089.tif 000003
【図２】
2015042089.tif 000004
【図３】
2015042089.tif 000005
【図４】
2015042089.tif 000006
【図５】
2015042089.tif 000007
【図６】
2015042089.tif 000008
【図７】
2015042089.tif 000009
【図８】
2015042089.tif 000010
【図９】
2015042089.tif 000011